(57)【要約】【課題】作業者が吊り足場と建築梁上を移動する際に、命綱によって安全を確保することが可能な吊り足場、墜落防止金具を提供すること。【解決手段】作業ステップ１１１と、建築梁１５の上面１５Ｆより低い位置に前記作業ステップ１１１を保持するステップ吊下げ部材１２０と、前記ステップ吊下げ部材１２０を前記建築梁１５に固定する固定部材１４０と、を有し、前記建築梁１５に取付けられる吊り足場本体１１０と、前記吊り足場本体１１０に取付けられた墜落防止金具１６０と、を備えた吊り足場１００であって、前記墜落防止金具１６０は、前記ステップ吊下げ部材１２０の上部に取付けられ前記建築梁１５の上面１５Ｆより高い位置に形成された命綱ひっかけ孔１６６を備えていることを特徴とする。【選択図】図１
2020094397.tif 000002
【特許請求の範囲】
【請求項１】
作業ステップと、建築梁の上面より低い位置に前記作業ステップを保持するステップ吊下げ部材と、前記ステップ吊下げ部材を前記建築梁に固定する固定部材と、を有し、前記建築梁に取付けられる吊り足場本体と、
前記吊り足場本体に取付けられた墜落防止金具と、
を備えた吊り足場であって、
前記墜落防止金具は、
前記ステップ吊下げ部材の上部に取付けられ前記建築梁の上面より高い位置に形成された命綱係合孔を備えていることを特徴とする吊り足場。
【請求項２】
請求項１に記載の吊り足場であって、
前記ステップ吊下げ部材は上下方向に延在する筒支柱部からなり、
前記墜落防止金具は、
前記筒支柱部に嵌挿される嵌挿取付け部
を備え、
前記嵌挿取付け部と前記筒支柱部とは、前記筒支柱部及び前記嵌挿取付け部を貫通する取付部材により取付けられている
ことを特徴とする吊り足場。
【請求項３】
作業ステップと、建築梁の上面より低い位置に前記作業ステップを保持するステップ吊下げ部材と、前記ステップ吊下げ部材を前記建築梁に固定する固定部材と、を有し、前記建築梁に取付けられる吊り足場本体に適用される墜落防止金具であって、
前記ステップ吊下げ部材の上部と対応する装着部
を備え、
前記ステップ吊下げ部材に取付けた状態で、前記建築梁の上面より高い位置に配置される命綱係合孔を備えていることを特徴とする墜落防止金具。
【発明の詳細な説明】
【技術分野】
【０００１】
この発明は、建築現場において建築梁等に取付けて用いられる吊り足場、吊り足場に取付けられる墜落防止金具に関する。
かかる
【背景技術】
【０００２】
周知のように、建築現場において、かご形の足場を建築梁に吊り下げて用いる吊り足場が広く用いられている（例えば、特許文献１参照。）。
このような吊り足場を用いた作業では、例えば、吊り足場内で建築梁側面のボルト締結作業をする場合には吊り足場近傍に設置された親綱等に命綱をかけて作業し、建築梁上面でボルト締結等の作業をする場合は、建築梁の上方に張られた親綱に命綱をかけて作業する場合がある。
【０００３】
したがって、吊り足場内における作業と、建築梁上面における作業をする際には、吊り足場と建築梁上を移動する必要が生じる。
【先行技術文献】
【特許文献】
【０００４】
【特許文献１】特開２０１５−２１２４７７号公報
【発明の概要】
【発明が解決しようとする課題】
【０００５】
しかしながら、吊り足場と建築梁上面との間を移動する際には、親綱等予め設けられた命綱係止部材から場合によっては命綱をはずして移動する場合があり、命綱を親綱等からはずした状態では、作業者の安全は施工現場に設置されたセーフティーネットだけに依存することになってしまう。
そこで、セーフティーネットに依存すること無く、命綱を用いて安全に移動可能な技術が望まれている。
【０００６】
本発明は、このような事情を考慮してなされたものであり、作業者が吊り足場と建築梁上を移動する際に、命綱によって安全を確保することが可能な吊り足場、墜落防止金具を提供することを目的とする。
【課題を解決するための手段】
【０００７】
上記課題を解決するために、この発明は以下の手段を提案している。
請求項１に記載の発明は、作業ステップと、建築梁の上面より低い位置に前記作業ステップを保持するステップ吊下げ部材と、前記ステップ吊下げ部材を前記建築梁に固定する固定部材と、を有し、前記建築梁に取付けられる吊り足場本体と、前記吊り足場本体に取付けられた墜落防止金具と、を備えた吊り足場であって、前記墜落防止金具は、前記ステップ吊下げ部材の上部に取付けられ前記建築梁の上面より高い位置に形成された命綱係合孔を備えていることを特徴とする。
【０００８】
この発明に係る吊り足場によれば、墜落防止金具は、ステップ吊下げ部材の上部に取付けられ建築梁の上面より高い位置に命綱係合孔が形成されているので、作業者は、建築梁の上、吊り足場内のいずれにいても、親綱等の命綱係止部材か墜落防止金具のいずれかに命綱を引っかけることができる。
すなわち、作業者は、吊り足場から建築梁上に移動する際には、第１の命綱を墜落防止金具に引っかけるとともに吊り足場近傍に引っかけていていた第２の命綱をはずす。建築梁上に移動したら、第２の命綱を親綱に引っかけて、建築梁上における安全を確保する。また、第１の命綱を墜落防止金具からはずして足下の安全や作業性を確保する。また、建築梁上から吊り足場に移動する際には、第１の命綱を墜落防止金具に引っかけるとともに親綱に引っかけていていた第２の命綱をはずす。吊り足場に移動したら、第２の命綱を吊り足場近傍に引っかけるとともに、第１の命綱を墜落防止金具からはずす。
その結果、吊り足場と建築梁の上面との間を移動する際に、作業者の安全を命綱によって確保することができる。
【０００９】
請求項２に記載の発明は、請求項１に記載の吊り足場であって、前記ステップ吊下げ部材は上下方向に延在する筒支柱部からなり、前記墜落防止金具は、前記筒支柱部に嵌挿される嵌挿取付け部を備え、前記嵌挿取付け部と前記筒支柱部とは、前記筒支柱部及び前記嵌挿取付け部を貫通する取付部材により取付けられていることを特徴とする。
【００１０】
この発明に係る吊り足場によれば、墜落防止金具は、筒支柱部に嵌挿される嵌挿取付け部を備えていて、嵌挿取付け部と筒支柱部とが、筒支柱部及び嵌挿取付け部を貫通する取付部材により取付けられているので、簡単な構造にて確実に取付けることができる。
【００１１】
請求項３に記載の発明は、作業ステップと、建築梁の上面より低い位置に前記作業ステップを保持するステップ吊下げ部材と、前記ステップ吊下げ部材を前記建築梁に固定する固定部材と、を有し、前記建築梁に取付けられる吊り足場本体に適用される墜落防止金具であって、前記ステップ吊下げ部材の上部と対応する装着部を備え、前記ステップ吊下げ部材に取付けた状態で、前記建築梁の上面より高い位置に配置される命綱係合孔を備えていることを特徴とする。
【００１２】
この発明に係る墜落防止金具によれば、ステップ吊下げ部材の上部に形成された被装着部と対応する装着部を備えているので、吊り足場本体に容易に取付けることができる。
また、ステップ吊下げ部材に取付けた状態で、建築梁の上面より高い位置に配置される命綱係合孔を備えているので、吊り足場から建築梁上に移動する際に、命綱を容易かつ効率的に取付け取り外しすることができる。
その結果、作業者が吊り足場と建築梁上を移動する際に、命綱によって安全を確保することができる。
【発明の効果】
【００１３】
この発明に係る吊り足場、墜落防止金具によれば、作業者が吊り足場と建築梁上を移動する際に、命綱によって安全を確保することができる。
【図面の簡単な説明】
【００１４】
【図１】本発明の第１実施形態に係る吊り足場の概略構成を説明する側面から見た概略構成図である。
【図２】第１実施形態に係る吊り足場の概略構成を説明する後方から見た概略構成図である。
【図３】第１実施形態に係る吊り足場の概略構成を説明する平面視した概略構成図である。
【図４】第１実施形態に係る墜落防止器具の概略構成を説明する平面視した概略構成図である。
【図５】第１実施形態に係る墜落防止器具の概略構成を説明する図であり、図７に矢視Ｖ−Ｖで示す断面図である。
【図６】第１実施形態に係る墜落防止器具の概略構成を説明する後方から見た概略構成図である。
【図７】第１実施形態に係る墜落防止器具の概略構成を説明する側面から見た概略構成図である。
【図８】本発明の第２実施形態に係る吊り足場における墜落防止金具の取付けの概略を説明する図であり、（Ａ）は墜落防止金具を吊り足場の筒支柱部に装着する状態を、（Ｂ）は墜落防止金具を吊り足場の取付部位に装着した状態を示す概念図である。
【図９】本発明の第３実施形態に係る吊り足場における墜落防止金具の取付けの概略を説明する斜視図である。
【発明を実施するための形態】
【００１５】
＜第１実施形態＞
以下、図１から図７を参照して、本発明の第１実施形態について説明する。
図１は本発明の第１実施形態に係る吊り足場の概略構成を説明する側面から見た概略構成図であり、図２は吊り足場を説明する後方から見た概略構成図であり、図３は吊り足場を説明する平面視した概略構成図である。
図において、符号１００は吊り足場を、符号１１０は吊り足場本体を、符号１６０は墜落防止金具を、符号１７０は金具取付ねじ（取付部材）を示している。また、符号１５は建築梁を示している。なお、この実施形態において、前後、左右とは作業者Ｐの前後左右と対応するものとする。
【００１６】
吊り足場１００は、図１〜図３に示すように、例えば、吊り足場本体１１０と、墜落防止金具１６０と、金具取付ねじ（取付部材）１７０と、を備え、建築梁１５に固定して吊り下げられている。
【００１７】
吊り足場本体１１０は、例えば、作業ステップ１１１と、ステップ吊下げ部材１２０と、後部柵部材１３０と、連結部材１３５と、ヒンジ部材１３６と、固定部材１４０と、を備えている。
【００１８】
作業ステップ１１１は、例えば、アルミニウム合金からなる枠部材と、枠部材の上部に配置された板部材とを備えている。
また、作業ステップ１１１は、作業者Ｐが板部材の上面に載って作業する際に充分な強度及び剛性を有している。
【００１９】
ステップ吊下げ部材１２０は、例えば、上下方向に延在する左右一対の筒支柱部１２１と、左右の筒支柱部１２１を連結する横部材１２２と、を備えている。
また、ステップ吊下げ部材１２０の下部には、作業ステップ１１１が折りたたみ可能に連結されている。
【００２０】
筒支柱部１２１は、図４、図５に示すように、例えば、長手方向に沿って見たときに、断面が略長方形の閉断面を有する筒状に形成されている。
また、筒支柱部１２１は、上端が、建設梁１５の上面１５Ｆより上方に位置するように構成されている。
また、それぞれの筒支柱部１２１は、建築梁１５の長手方向と直交して形成される辺の内面に、上下方向に延在し、互いに対向する側に突出する補強リブ１２１Ａが形成されている。
また、筒支柱部１２１の上部には、金具取付ねじ（取付部材）１７０を挿入する取付孔１２１Ｈが形成されている。
【００２１】
後部柵部材１３０は、図２、図３に示すように、例えば、上下方向に延在する左右一対の後部柵縦部材１３１と、左右の後部柵縦部材１３１を連結する後部柵横部材１３２と、を備え、略はしご状に形成されている。
【００２２】
連結部材１３５は、左右一対の筒支柱部１２１と、左右一対の後部柵縦部材１３１とを、前後方向に連結している。
この実施形態において、筒支柱部１２１と後部柵縦部材１３１とは、例えば、三対（複数）の連結部材１３５により連結されている。
また、それぞれの連結部材１３５は、例えば、筒支柱部１２１、後部柵縦部材１３１の長手方向に等間隔をあけて配置されている。
また、筒支柱部１２１と連結部材１３５、後部柵縦部材１３１と連結部材１３５とは、ボルト等の連結部１３５Ａにより互いに回動可能に連結されている。
【００２３】
その結果、連結部１３５Ａにおいて、連結部材１３５を、筒支柱部１２１及び後部柵縦部材１３１に対して、回動させることにより、筒支柱部１２１及び後部柵縦部材１３１を、互いの平行を維持して近接して、折り畳むことが可能とされている。
【００２４】
ヒンジ部材１３６は、第１部材１３６Ａと、第２部材１３６Ｂと、第１部材１３６Ａと第２部材１３６Ｂとを回動可能に連結する連結部１３６Ｃと、ロック部（不図示）と、を備えている。
【００２５】
そして、ヒンジ部材１３６は、連結部１３６Ｃにおいて、第２部材１３６Ｂが第１部材１３６Ａに対して右回転することにより、第１部材１３６Ａと第２部材１３６Ｂとが直線的に配置されて、筒支柱部１２１と後部柵縦部材１３１とが離れた状態でロックされる。
また、連結部１３６Ｃにおいて、第２部材１３６Ｂが第１部材１３６Ａに対して左回転することで、第１部材１３６Ａと第２部材１３６Ｂとが屈曲して、筒支柱部１２１と後部柵縦部材１３１とが近接した状態となり、折り畳まれる。
【００２６】
固定部材１４０は、図１に示すように、ねじ部材１４１と、固定かぎ部材１４２と、ロックねじ部材１４３と、連結部１４４と、を備え、ステップ吊下げ部材１２０を建築梁１５に固定する。
【００２７】
ねじ部材１４１は、例えば、筒支柱部１２１に連結するための頭部を有し、外周に雄ネジが形成された軸部材である。
また、ねじ部材１４１は、図１に示すように、ピン又はねじ等により構成された連結部１４４によって、頭部が左右の筒支柱部１２１の上下方向の途中に取付けられている。
また、ねじ部材１４１は、筒支柱部１２１に対して回動可能とされている。
【００２８】
固定かぎ部材１４２は、ねじ部材１４１よりわずかに大きな内径を有しねじ部材１４１を軸方向に移動可能に形成された筒部と、この筒部の外周に形成され、建築梁１５に引っ掛けることが可能なかぎ形状部（フック形状部）とを備えている。
ここで、吊り足場１００を適用して施工する建築梁１５としては、種々の形式のものを対象とすることが可能であるが、例えば、図１に示すようにＨ形鋼により構成してもよく、Ｈ形鋼により構成される場合には、Ｈ形鋼のフランジ（上フランジ）にかぎ形状部（フック形状部）を引っかける。
【００２９】
ロックねじ部材１４３は、例えば、蝶ねじにより構成されていて、ねじ部材１４１に螺合させながらねじ部材１４１の軸方向に進退させることにより、固定かぎ部材１４２を軸方向の任意の位置で停止させることが可能とされている。
【００３０】
その結果、ねじ部材１４１の軸方向に固定かぎ部材１４２を移動させて、固定かぎ部材１４２によりＨ形鋼の上フランジを係止する。そして、ロックねじ部材１４３を締め込むことにより、固定かぎ部材１４２をねじ部材１４１の軸方向の所定位置でロックする。
【００３１】
墜落防止金具１６０は、図４〜図７に示すように、例えば、嵌挿取付け部（装着部）１６１と、嵌挿取付け部１６１の一端側に接続された命綱取付け部１６５と、を備え、綱取付け部１６５には、命綱ひっかけ孔（命綱係合孔）１６６が形成されている。
【００３２】
嵌挿取付け部（装着部）１６１は、例えば、筒支柱部（被装着部）１２１の内面と対応する略直方体に形成されている。
また、嵌挿取付け部（装着部）１６１には、長手方向に沿って補強リブ１２１Ａと対応する溝部１６１Ｕが形成されていて、筒支柱部１２１の長手方向に沿って挿入（装着）可能とされている。
また、嵌挿取付け部（装着部）１６１は、筒支柱部１２１に挿入した状態で、筒支柱部１２１の取付孔１２１Ｈと対応するねじ装着孔１６１Ｈが形成されている。
【００３３】
そして、嵌挿取付け部（装着部）１６１を筒支柱部（被装着部）１２１に挿入した状態で、金具取付ねじ（取付部材）１７０により嵌挿取付け部１６１を筒支柱部１２１に固定することにより、墜落防止金具１６０が吊り足場本体１１０に装着される。
【００３４】
ここで、金具取付ねじ（取付部材）１７０は、周知の任意の締結部材を用いることが可能であるが、この実施形態においては、例えば、ボルト１７０Ａと、ナット１７０Ｂにより構成されていて、必要に応じてワッシャ及びスプリングワッシャが用いられる。
【００３５】
この実施形態においては、筒支柱部１２１の上端が建設梁１５の上面１５Ｆより上方に位置されているので、命綱ひっかけ孔（命綱係合孔）１６６は、建設梁１５の上面１５Ｆより高い位置に配置されるが、例えば、筒支柱部１２１の上端が建設梁１５の上面１５Ｆより上方に配置されていない場合は、命綱取付け部１６５と筒支柱部１２１の上端との間に、命綱ひっかけ孔１６６を建設梁１５の上面１５Ｆに位置させるための首部等を形成してもよい。
【００３６】
命綱取付け部１６５は、図６、図７に示すように、命綱ひっかけ孔（命綱係合孔）１６６が形成されたプレート部材とされている。
命綱ひっかけ孔（命綱係合孔）１６６の大きさ，位置に着いては任意に設定可能であるが、この実施形態では、例えば、内径φ３２ｍｍの孔が外径φ１２ｍｍの丸棒を丸めて形成したような構成とされている。
また、この実施形態では、命綱ひっかけ孔１６６は、図１、図３に示すように、例えば、建築梁１５の上面１５Ｆよりも外側に形成されている。
【００３７】
吊り足場１００は、図１〜図３に示すように、例えば、基礎梁仕口鉄骨１０を構成し鉛直方向に立設された矩形鋼管柱（立て柱）１１から水平方向に延在する横梁（建築梁）１５に対して他の横梁（建築梁）１５を連結する場合等に用いられる。
ここで、建築梁１５は、基礎梁仕口鉄骨１０から延出する横梁、基礎梁仕口鉄骨１０から延出する横梁に連結する梁等、種々の梁が含まれる。
【００３８】
このような建築現場では、例えば、作業者Ｐが建築梁１５の上面１５Ｆで作業する際に、命綱を引っかけるために、隣接する基礎梁仕口鉄骨１０の間に親綱Ｗ０が張られている。
また、作業者Ｐが吊り足場１００内で作業する際に命綱を引っかけるための親綱又は引っかけ金具（不図示）が設けられる。
【００３９】
次に、建築工事現場における吊り足場１００及び墜落防止金具１６０の使用方法の一例について説明する。
（１）作業者Ｐは、吊り足場１００から建築梁１５の上面１５Ｆに移動する際に、第１の命綱Ｗ１を墜落防止金具１６０に引っかけるとともに、吊り足場１００近傍に設けられた命綱係止部（不図示）に引っかけていていた第２の命綱（不図示）をはずす。
（２）作業者Ｐは、建築梁１５の上面１５Ｆに移動したら、第２の命綱を親綱Ｗ０に引っかけて、建築梁１５上における安全を確保する。また、第１の命綱Ｗ１を墜落防止金具１６０からはずして足下の安全と作業性を確保する。
（３）また、建築梁１５上から吊り足場１００に移動する際には、第１の命綱Ｗ１を墜落防止金具１６０に引っかけるとともに親綱Ｗ０に引っかけていていた第２の命綱をはずす。
（４）吊り足場１００に移動したら、第２の命綱（不図示）を吊り足場近傍に設けられた命綱係止部（不図示）に引っかけるとともに、第１の命綱Ｗ１を墜落防止金具１６０からはずす。
【００４０】
第１実施形態に係る吊り足場１００によれば、墜落防止金具１６０が、ステップ吊下げ部材１２０の上部に取付けられ建築梁の上面より高い位置に命綱取付孔（命綱係合孔）１６６が形成されているので、作業者Ｐは、建築梁１５の上、吊り足場１００内のいずれにいても、親綱Ｗ０等の命綱係止部材と、墜落防止金具１６０のいずれかに命綱を引っかけることができる。
【００４１】
また、第１実施形態に係る吊り足場１００によれば、墜落防止金具１６０は、筒支柱部１２１に嵌挿される嵌挿取付け部（装着部）１６１を備えていて、嵌挿取付け部１６１と筒支柱部１２１が金具取付ねじ（取付部材）１７０により取付けられるので、簡単な構造にて確実に取付けることができる。
【００４２】
＜第２実施形態＞
以下、図８（Ａ）、図８（Ｂ）を参照して、本発明の第２実施形態について説明する。
図８は、本発明の第２実施形態に係る吊り足場における墜落防止金具の取付け状態の概略構成を説明する図であり、図８（Ａ）は墜落防止金具を吊り足場の筒支柱部に装着する状態を、図８（Ｂ）は墜落防止金具を吊り足場の取付部位に装着した後の状態を示す図である。図８において、符号２００は吊り足場を、符号１１０は吊り足場本体を、符号１６０は墜落防止金具を、符号２７０は金具取付ピン（取付部材）を示している。
【００４３】
吊り足場２００は、図８に示すように、例えば、吊り足場本体１１０と、墜落防止金具１６０と、金具取付ピン（取付部材）１７０と、を備えている。
吊り足場２００が、第１実施形態に係る吊り足場１００と異なるのは、金具取付ねじ（取付部材）１７０に代えて、金具取付ピン（取付部材）２７０を備えている点であり、その他は第１実施形態と同様であるので説明を省略する。
【００４４】
金具取付ピン（取付部材）２７０は、図８（Ａ）、図８（Ｂ）に示すように、軸部２７１と、軸部２７１の一端側に形成された頭部２７２と、軸部２７１の他端側に配置される屈曲部材２７３と、軸部２７１と屈曲部材２７３とを回動可能に連結するピン部２７４とを備えている。
軸部２７１及び屈曲部材２７３は、例えば、取付孔１２１Ｈ、装着孔１６１Ｈよりも小径に形成されている。
【００４５】
次に、金具取付ピン（取付部材）２７０による墜落防止金具１６０の装着について説明する。
（１）まず、墜落防止金具１６０の嵌挿取付け部１６１を、矢印Ｔ１方向に筒支柱部１２１に挿入する。
このとき、嵌挿取付け部１６１は、装着孔１６１Ｈが取付孔１２１Ｈと合うまで挿入する。
（２）次に、金具取付ピン（取付部材）２７０は、屈曲部材１７３を軸部２７１と同軸にしてまっすぐにする。
（３）次いで、金具取付ピン（取付部材）２７０を、装着孔１６１Ｈ及び取付孔１２１Ｈに対して矢印Ｔ２方向に挿入する。
（４）金具取付ピン（取付部材）２７０が装着孔１６１Ｈ及び取付孔１２１Ｈに嵌挿されたら、図８（Ｂ）に示すように、屈曲部材２７３を屈曲させて、金具取付ピン２７０が抜けないようにする。
【００４６】
第１実施形態に係る吊り足場２００によれば、墜落防止金具１６０が、金具取付ピン２７０により固定されるので、吊り足場本体１１０に、容易かつ効率的に墜落防止金具１６０を取り付け及び取りはずしすることができる。
【００４７】
＜第３実施形態＞
以下、図９を参照して、本発明の第３実施形態について説明する。
図９は、本発明の第３実施形態に係る吊り足場における墜落防止金具の取付け状態の概略構成を説明する斜視図である。
図９において、符号３００は吊り足場を、符号３１０は吊り足場本体を、符号１６０は墜落防止金具を、符号１７０は金具取付ねじ（取付部材）を示している。
【００４８】
吊り足場３００は、図９に示すように、例えば、吊り足場本体３１０と、墜落防止金具１６０と、金具取付ねじ（取付部材）１７０と、を備えている。
吊り足場本体３１０が、第１実施形態に係る吊り足場本体１１０と異なるのは、ステップ吊下げ部材１２０、筒支柱部１２１に代えて、ステップ吊下げ部材３２０、筒支柱部３２１を備えている点であり、その他は第１実施形態と同様であるので説明を省略する。
【００４９】
筒支柱部３２１は、例えば、第１実施形態の筒支柱部１２１において、筒支柱部１２１の上部に、長手方向に沿ってみたときに略ハット形状に形成された挟持取り付け部３２２と、挟持プレート３２３と、プレート取付ねじ３２４と、を備えている。
【００５０】
挟持取り付け部３２２は、例えば、筒支柱部３２１の上端から下方に向かって墜落防止金具１６０の嵌挿取付け部（装着部）１６１の長さと対応する位置まで形成されている。
また、挟持取り付け部３２２には、装着された状態で、墜落防止金具１６０のねじ装着孔１６１Ｈと対応する位置に取付孔３２２Ｈが形成されるとともに、挟持取り付け部３２２の内面には上下方向に沿って補強リブ３２１Ａが形成されている。
【００５１】
挟持プレート３２３は、挟持取り付け部３２２と協働して墜落防止金具１６０の嵌挿取付け部１６１を挟持するのに充分な強度及び剛性を有している。
また、挟持プレート３２３には、取付孔３２２Ｈと対応する取付孔３２３Ｈが形成されるとともに、上下方向に沿って補強リブ３２１Ａが形成されている。
【００５２】
プレート取付ねじ３２４は、挟持取り付け部３２２と挟持プレート３２３が墜落防止金具１６０を挟んだ状態でこれらを一体に取り付ける。
なお、プレート取付ねじ３２４は、周知の任意の締結部材等を用いることが可能であり、この実施形態においては、例えば、ボルト３２４Ａ及びナット３２４Ｂにより構成されている。
【００５３】
なお、この発明は上記実施の形態に限定されるものではなく、発明の趣旨を逸脱しない範囲において、種々の変更をすることが可能である。
例えば、上記実施形態においては、ステップ吊下げ部材１２０が長手方向に沿って見たときに、矩形閉断面の壁部を有する筒支柱部１２１を備えている場合について説明したが、筒支柱部柱を備えた構成とするかどうか、筒支柱部柱が矩形閉断面の筒状部材により構成するかどうかは任意に設定することができる。
【００５４】
また、上記実施形態においては、墜落防止金具１６０を吊り足場本体１１０、３１０に対して、金具取付ねじ（取付部材）１７０、金具取付ピン２７０によって着脱可能に装着する場合について説明したが、墜落防止金具１６０が吊り足場本体に溶接等により接合された構成とされていてもよい。
【００５５】
また、墜落防止金具１６０の嵌挿取付け部（装着部）１６１が、略直方体に形成されている場合について説明したが、装着部はステップ吊下げ部材の被装着部と対応していれば任意に設定することができる。
【００５６】
また、上記実施の形態においては、吊り足場が吊り足場であるある場合について説明したが、建築梁に対して恒久的に設けられる吊り足場に適用してもよい。
【産業上の利用可能性】
【００５７】
本発明に係る吊り足場、墜落防止金具によれば、作業者が吊り足場と建築梁上を移動する際に、命綱によって安全を確保することができるので産業上利用可能である。
【符号の説明】
【００５８】
１０  基礎梁仕口鉄骨
１１  矩形鋼管柱
１５  建築梁
１００、２００、３００  吊り足場
１１０、３１０  吊り足場本体
１２０、３２０  ステップ吊下げ部材
１２１、３２１  筒支柱部
１６０  墜落防止金具
１６１  嵌挿取付け部（装着部）
１６６  命綱ひっかけ孔（命綱係合孔）
１７０  金具取付ねじ（取付部材）
２７０  金具取付ピン（取付部材）
【図１】
2020094397.tif 000003
【図２】
2020094397.tif 000004
【図３】
2020094397.tif 000005
【図４】
2020094397.tif 000006
【図５】
2020094397.tif 000007
【図６】
2020094397.tif 000008
【図７】
2020094397.tif 000009
【図８】
2020094397.tif 000010
【図９】
2020094397.tif 000011
【手続補正書】
【提出日】令和2年1月17日(2020.1.17)
【手続補正１】
【補正対象書類名】特許請求の範囲
【補正対象項目名】全文
【補正方法】変更
【補正の内容】
【特許請求の範囲】
【請求項１】
作業ステップと、建築梁の上面より低い位置に作業ステップと前記建築梁の上面との間を移動することが可能とされ、前記作業ステップを保持するステップ吊下げ部材と、前記ステップ吊下げ部材を前記建築梁に固定する固定部材と、を有し、前記建築梁に取付けられる吊り足場本体と、
前記吊り足場本体に取付けられた墜落防止金具と、
を備えた吊り足場であって、
前記墜落防止金具は、
前記ステップ吊下げ部材の上部に取付けられ前記建築梁の上面より高い位置に形成された命綱を引っかけるための命綱係合孔を備えていることを特徴とする吊り足場。
【請求項２】
請求項１に記載の吊り足場であって、
前記ステップ吊下げ部材は上下方向に延在する筒支柱部からなり、
前記墜落防止金具は、
前記筒支柱部に嵌挿される嵌挿取付け部
を備え、
前記嵌挿取付け部と前記筒支柱部とは、前記筒支柱部及び前記嵌挿取付け部を貫通する取付部材により取付けられている
ことを特徴とする吊り足場。
【請求項３】
請求項２に記載の吊り足場であって、
前記取付部材は、前記筒支柱部及び前記嵌挿取付け部を貫通する軸部と、前記軸部の一端側に配置される頭部と、前記軸部の他端側に配置され前記軸部に対して屈曲可能とされた屈曲部と、を有する金具取付ピンである
ことを特徴とする吊り足場。
【手続補正３】
【補正対象書類名】明細書
【補正対象項目名】０００１
【補正方法】変更
【補正の内容】
【０００１】
この発明は、建築現場において建築梁等に取付けて用いられる吊り足場に関する。
【手続補正４】
【補正対象書類名】明細書
【補正対象項目名】０００６
【補正方法】変更
【補正の内容】
【０００６】
本発明は、このような事情を考慮してなされたものであり、作業者が吊り足場と建築梁上を移動する際に、命綱によって安全を確保することが可能な吊り足場を提供することを目的とする。
【手続補正５】
【補正対象書類名】明細書
【補正対象項目名】０００７
【補正方法】変更
【補正の内容】
【０００７】
上記課題を解決するために、この発明は以下の手段を提案している。
請求項１に記載の発明は、作業ステップと、建築梁の上面より低い位置に作業ステップと前記建築梁の上面との間を移動することが可能され、前記作業ステップを保持するステップ吊下げ部材と、前記ステップ吊下げ部材を前記建築梁に固定する固定部材と、を有し、前記建築梁に取付けられる吊り足場本体と、前記吊り足場本体に取付けられた墜落防止金具と、を備えた吊り足場であって、前記墜落防止金具は、前記ステップ吊下げ部材の上部に取付けられ前記建築梁の上面より高い位置に形成された命綱を引っかけるための命綱係合孔を備えていることを特徴とする。
【手続補正６】
【補正対象書類名】明細書
【補正対象項目名】００１１
【補正方法】変更
【補正の内容】
【００１１】
請求項３に記載の発明は、請求項２に記載の吊り足場であって、前記取付部材は、前記筒支柱部及び前記嵌挿取付け部を貫通する軸部と、前記軸部の一端側に配置される頭部と、前記軸部の他端側に配置され前記軸部に対して屈曲可能とされた屈曲部と、を有する金具取付ピンであることを特徴とする。
【手続補正７】
【補正対象書類名】明細書
【補正対象項目名】００１２
【補正方法】変更
【補正の内容】
【００１２】
この発明に係る吊り足場によれば、吊り足場本体に、容易かつ効率的に墜落防止金具を取り付け及び取りはずしすることができる。
【手続補正８】
【補正対象書類名】明細書
【補正対象項目名】００１３
【補正方法】変更
【補正の内容】
【００１３】
この発明に係る吊り足場によれば、作業者が吊り足場と建築梁上を移動する際に、命綱によって安全を確保することができる。
【手続補正９】
【補正対象書類名】明細書
【補正対象項目名】００４６
【補正方法】変更
【補正の内容】
【００４６】
第２実施形態に係る吊り足場２００によれば、墜落防止金具１６０が、金具取付ピン２７０により固定されるので、吊り足場本体１１０に、容易かつ効率的に墜落防止金具１６０を取り付け及び取りはずしすることができる。
【手続補正１０】
【補正対象書類名】明細書
【補正対象項目名】００５７
【補正方法】変更
【補正の内容】
【００５７】
本発明に係る吊り足場によれば、作業者が吊り足場と建築梁上を移動する際に、命綱によって安全を確保することができるので産業上利用可能である。